(57)【要約】      （修正有）【課題】プルプリントにおいてユーザが印刷装置に向かって移動している時間をラスタライズ処理に有効利用する印刷システムを提供する。【解決手段】印刷サーバは受信した印刷ジョブを保持するＰ２と共に、印刷ジョブが実行される可能性の高さに応じて各印刷装置を順位付けしＰ３、順位が第１基準以上の印刷装置（中位装置）に印刷ジョブを事前配信するＰ４。この際、順位が第１基準より高い第２基準以上の印刷装置（上位装置）には印刷ジョブをラスタライズした状態で保持させる。宛先ユーザが印刷装置に到着するまでの予測時間が規定値以内の印刷装置ＭＦＰ１には、印刷サーバでラスタライズして事前配信しＰ３１〜３３、規定値を超える印刷装置ＭＦＰ２にはラスタライズせずに事前配信して印刷装置でラスタライズさせるＰ２１〜２３。他の中位装置ＭＦＰ３には配信した印刷ジョブを保持させ、出力要求を受けた時にラスタライズして印刷させるＰ１１〜１４。【選択図】図２
2017146738.tif 000002
【特許請求の範囲】
【請求項１】
サーバと、前記サーバにネットワークを通じて接続される複数の印刷装置とを備えた印刷システムであって、
前記サーバは、宛先のユーザが設定されたプルプリントの印刷ジョブをユーザ端末から受信したとき該印刷ジョブを保持すると共に、該印刷ジョブが実行される可能性の高さに応じた第１基準で前記複数の印刷装置の中の一部を中位装置に選択し、該中位装置には、転送要求を受けなくても、前記印刷ジョブを配信すると共に、前記中位装置の中からさらに第２基準で絞り込んだ上位装置には、前記印刷ジョブがラスタライズ済みの状態で準備されるようにし、
前記中位装置は、前記サーバから配信された前記印刷ジョブを保持し、
前記複数の印刷装置のうち、前記宛先のユーザが認証されて前記印刷ジョブを印刷する印刷装置は、前記印刷ジョブが既に前記サーバから配信されて自装置に保持されている場合は該保持されているデータに基づいて前記印刷ジョブに係る印刷を実行し、保持されていない場合は前記サーバに前記印刷ジョブの転送要求を送信し、該転送要求に応じて前記サーバから送信されてきた印刷ジョブに係る印刷を実行し、
前記転送要求を受信した前記サーバは、前記印刷ジョブを前記転送要求の送信元の印刷装置に送信する
ことを特徴とする印刷システム。
【請求項２】
前記上位装置もしくはその中の一部のうち、前記宛先のユーザがその印刷装置に到着するまでの移動時間の予測値が所定の規定値より短い印刷装置については、前記サーバが前記印刷ジョブをラスタライズして配信することで前記準備が行われる
ことを特徴とする請求項１に記載の印刷システム。
【請求項３】
前記上位装置のうち、前記宛先のユーザがその印刷装置に到着するまでの移動時間の予測値が所定の規定値より長い印刷装置については、前記サーバが前記印刷ジョブをラスタライズせずに配信し、これを受けた印刷装置が、前記印刷ジョブをラスタライズして保持することで前記準備が行われる
ことを特徴とする請求項１または２に記載の印刷システム。
【請求項４】
前記サーバは、前記印刷ジョブが実行される可能性の高さに応じて前記複数の印刷装置を順位付けし、
前記第１基準および前記第２基準は前記順位に係る閾値を含む
ことを特徴とする請求項１乃至３のいずれか１つに記載の印刷システム。
【請求項５】
前記サーバは、各印刷装置で前記印刷ジョブが実行される確率を求め、
前記第１基準および前記第２基準は前記確率に係る閾値を含む
ことを特徴とする請求項１乃至４のいずれか１つに記載の印刷システム。
【請求項６】
ＰＤＬで記述された印刷ジョブを前記ユーザ端末から受信する
ことを特徴とする請求項１乃至５のいずれか１つに記載の印刷システム。
【請求項７】
サーバと、前記サーバにネットワークを通じて接続される複数の印刷装置とを備えた印刷システムで行われる印刷方法であって、
前記サーバは、宛先のユーザが設定されたプルプリントの印刷ジョブをユーザ端末から受信したとき、該印刷ジョブを保持すると共に、前記印刷ジョブが実行される可能性の高さに応じた第１基準で前記複数の印刷装置の中の一部を中位装置に選択し、該中位装置には、転送要求を受けなくても、前記印刷ジョブを配信すると共に、前記中位装置の中からさらに第２基準で絞り込んだ上位装置には、前記印刷ジョブがラスタライズ済みの状態で準備されるようにし、
前記中位装置は、前記サーバから配信された前記印刷ジョブを保持し、
前記複数の印刷装置のうち、前記宛先のユーザが認証されて前記印刷ジョブを印刷する印刷装置は、前記印刷ジョブが既に前記サーバから配信されて自装置に保持されている場合は該保持されているデータに基づいて前記印刷ジョブに係る印刷を実行し、保持されていない場合は前記サーバに前記印刷ジョブの転送要求を送信し、該転送要求に応じて前記サーバから送信されてきた印刷ジョブに係る印刷を実行し、
前記転送要求を受信した前記サーバは、前記印刷ジョブを前記転送要求の送信元の印刷装置に送信する
ことを特徴とする印刷方法。
【請求項８】
前記上位装置もしくはその中の一部のうち、前記宛先のユーザがその印刷装置に到着するまでの移動時間の予測値が所定の規定値より短い印刷装置については、前記サーバが前記印刷ジョブをラスタライズして配信することで前記準備が行われる
ことを特徴とする請求項７に記載の印刷方法。
【請求項９】
前記上位装置のうち、前記宛先のユーザがその印刷装置に到着するまでの移動時間の予測値が所定の規定値より長い印刷装置については、前記サーバが前記印刷ジョブをラスタライズせずに配信し、これを受けた印刷装置が、前記印刷ジョブをラスタライズして保持することで前記準備が行われる
ことを特徴とする請求項７または８に記載の印刷方法。
【請求項１０】
前記サーバは、前記印刷ジョブが実行される可能性の高さに応じて前記複数の印刷装置を順位付けし、
前記第１基準および前記第２基準は前記順位に係る閾値を含む
ことを特徴とする請求項７乃至９のいずれか１つに記載の印刷方法。
【請求項１１】
前記サーバは、各印刷装置で前記印刷ジョブが実行される確率を求め、
前記第１基準および前記第２基準は前記確率に係る閾値を含む
ことを特徴とする請求項７乃至１０のいずれか１つに記載の印刷方法。
【請求項１２】
ＰＤＬで記述された印刷ジョブを前記ユーザ端末から受信する
ことを特徴とする請求項７乃至１１のいずれか１つに記載の印刷方法。
【請求項１３】
ネットワークを通じて複数の印刷装置が接続され、宛先のユーザが設定されたプルプリントの印刷ジョブをユーザ端末から受信したとき、該印刷ジョブを保持しておき、前記宛先のユーザが認証された前記印刷ジョブを印刷する印刷装置から前記印刷ジョブの転送要求を受けた場合に、保持している前記印刷ジョブを前記転送要求の送信元の印刷装置に転送する印刷サーバであって、
前記宛先のユーザを宛先とするプルプリントの印刷ジョブをユーザ端末から受信したとき、前記印刷ジョブが実行される可能性の高さに応じた第１基準で前記複数の印刷装置の中の一部を中位装置に選択し、該中位装置には、前記転送要求を受けなくても、前記印刷ジョブを配信すると共に、前記中位装置の中からさらに第２基準で絞り込んだ上位装置には、前記印刷ジョブがラスタライズ済みの状態で準備されるようにする、
ことを特徴とする印刷サーバ。
【請求項１４】
前記上位装置もしくはその中の一部のうち、前記宛先のユーザがその印刷装置に到着するまでの移動時間の予測値が所定の規定値より短い印刷装置については、前記印刷ジョブをラスタライズして配信することで前記準備を行う
ことを特徴とする請求項１３に記載の印刷サーバ。
【請求項１５】
前記上位装置のうち、前記宛先のユーザがその印刷装置に到着するまでの移動時間の予測値が所定の規定値より長い印刷装置については、前記印刷ジョブをラスタライズせずに配信し、これを受けた印刷装置に前記印刷ジョブをラスタライズさせる
ことを特徴とする請求項１３または１４に記載の印刷サーバ。
【請求項１６】
前記印刷ジョブが実行される可能性の高さに応じて前記複数の印刷装置を順位付けし、
前記第１基準および前記第２基準は前記順位に係る閾値を含む
ことを特徴とする請求項１３乃至１５のいずれか１つに記載の印刷サーバ。
【請求項１７】
各印刷装置で前記印刷ジョブが実行される確率を求め、
前記第１基準および前記第２基準は前記確率に係る閾値を含む
ことを特徴とする請求項１３乃至１６のいずれか１つに記載の印刷サーバ。
【請求項１８】
ＰＤＬで記述された印刷ジョブを前記ユーザ端末から受信する
ことを特徴とする請求項１３乃至１７のいずれか１つに記載の印刷サーバ。
【発明の詳細な説明】
【技術分野】
【０００１】
本発明は、プルプリントに対応した印刷システム、印刷方法、印刷サーバに関する。
【背景技術】
【０００２】
主として、セキュリティの強化と出力先のフレキシブルな選択の観点から、サーバを経由したプルプリントという印刷方法が普及しつつある。プルプリントは、ＰＣ（パーソナルコンピュータ）等のユーザ端末から、宛先のユーザを指定した印刷ジョブをサーバに送信し、該印刷ジョブをサーバに保持させておき、宛先のユーザが任意の印刷装置でユーザ認証を行い、操作パネルから自分宛ての印刷ジョブの取得をサーバに要求等すると、サーバから該当の印刷ジョブがその印刷装置に送信されて印刷が開始される、というものである。印刷開始時に出力先の印刷装置でユーザ認証を受けることにより宛先のユーザがその印刷装置の前に居ることを担保して、印刷物が他人に覗き見などされて情報漏洩することが防止される。
【０００３】
プルプリントは、任意の印刷装置から出力可能という利点を有するものの、ユーザが印刷装置の設置場所に移動した後、認証作業を行い、認証が完了して初めて印刷ジョブがサーバから印刷装置に転送され、印刷処理が開始されるので、最終的な印刷物を取得するまでの待ち時間が、通常の印刷に比べて長くなる。
【０００４】
そこで、プルプリントにおける印刷物取得に係る待ち時間を低減する技術が各種提案されている。たとえば、ユーザがプリンタに接近したら、ユーザの認証処理に先立ってサーバから印刷ジョブを取得する印刷システムがある（下記特許文献１参照。）。また、ユーザに近いプリンタには、多くのページを事前に送信しておき、遠いプリンタには少ないページを事前に送信しておくように制御する印刷システムがある（下記特許文献２参照。）。
【先行技術文献】
【特許文献】
【０００５】
【特許文献１】特開２００９−２３４１０６号公報
【特許文献２】特開２００８−２６９２９８号公報
【発明の概要】
【発明が解決しようとする課題】
【０００６】
記録紙への印刷を開始するには、その前に印刷ジョブをラスタライズしてイメージデータに展開する必要がある。
【０００７】
特許文献１、２に開示の印刷システムは、ユーザによる認証処理に先だって印刷ジョブ（あるいはその一部のページ）を印刷装置に転送するので、転送に係る出力待ち時間を短縮することができる。しかし、印刷ジョブのラスタライズを、印刷装置に到着したユーザから出力指示の操作を受けた段階で開始するので、ユーザが印刷装置に向かって移動している時間をラスタライズのために有効利用できなかった。
【０００８】
本発明は、上記の問題を解決しようとするものであり、プルプリントにおいてユーザが印刷装置に向かって移動している時間をラスタライズ処理に有効利用することのできる印刷システムおよび印刷方法、印刷サーバを提供することを目的としている。
【課題を解決するための手段】
【０００９】
かかる目的を達成するための本発明の要旨とするところは、次の各項の発明に存する。
【００１０】
［１］サーバと、前記サーバにネットワークを通じて接続される複数の印刷装置とを備えた印刷システムであって、
前記サーバは、宛先のユーザが設定されたプルプリントの印刷ジョブをユーザ端末から受信したとき該印刷ジョブを保持すると共に、該印刷ジョブが実行される可能性の高さに応じた第１基準で前記複数の印刷装置の中の一部を中位装置に選択し、該中位装置には、転送要求を受けなくても、前記印刷ジョブを配信すると共に、前記中位装置の中からさらに第２基準で絞り込んだ上位装置には、前記印刷ジョブがラスタライズ済みの状態で準備されるようにし、
前記中位装置は、前記サーバから配信された前記印刷ジョブを保持し、
前記複数の印刷装置のうち、前記宛先のユーザが認証されて前記印刷ジョブを印刷する印刷装置は、前記印刷ジョブが既に前記サーバから配信されて自装置に保持されている場合は該保持されているデータに基づいて前記印刷ジョブに係る印刷を実行し、保持されていない場合は前記サーバに前記印刷ジョブの転送要求を送信し、該転送要求に応じて前記サーバから送信されてきた印刷ジョブに係る印刷を実行し、
前記転送要求を受信した前記サーバは、前記印刷ジョブを前記転送要求の送信元の印刷装置に送信する
ことを特徴とする印刷システム。
【００１１】
上記発明および下記［７］、［１３］に記載の発明では、複数の印刷装置の中から第１基準で選択した中位装置には、事前（宛先のユーザが認証された印刷装置から転送要求を受信する前）に印刷ジョブが配信される。また、中位装置の中から第２基準によって絞り込んだ一部の印刷装置には、事前に印刷ジョブがラスタライズされた状態で準備されるようにする。
【００１２】
［２］前記上位装置もしくはその中の一部のうち、前記宛先のユーザがその印刷装置に到着するまでの移動時間の予測値が所定の規定値より短い印刷装置については、前記サーバが前記印刷ジョブをラスタライズして配信することで前記準備が行われる
ことを特徴とする［１］に記載の印刷システム。
【００１３】
上記発明および下記［８］、［１４］に記載の発明では、一般に、サーバは印刷装置より処理能力が高く、ラスタライズを短時間で実行できるので、宛先のユーザが出力先に到着するまでの移動時間の予測値が規定値内の印刷装置には、サーバが印刷ジョブをラスタライズして配信することで、ラスタライズ済みの印刷ジョブが早期に準備されるようにする。規定値は一律の時間としてもよいが、たとえば、その印刷ジョブを印刷装置に転送して印刷装置でラスタライズするのに要する予測時間としてもよい。
【００１４】
［３］前記上位装置のうち、前記宛先のユーザがその印刷装置に到着するまでの移動時間の予測値が所定の規定値より長い印刷装置については、前記サーバが前記印刷ジョブをラスタライズせずに配信し、これを受けた印刷装置が、前記印刷ジョブをラスタライズして保持することで前記準備が行われる
ことを特徴とする［１］または［２］に記載の印刷システム。
【００１５】
上記発明および下記［９］、［１５］に記載の発明では、宛先のユーザが出力先に到着するまでの移動時間の予測値が規定値を超える印刷装置については、その印刷装置でラスタライズを行わせることでラスタライズ済みの印刷ジョブを準備する。
【００１６】
［４］前記サーバは、前記印刷ジョブが実行される可能性の高さに応じて前記複数の印刷装置を順位付けし、
前記第１基準および前記第２基準は前記順位に係る閾値を含む
ことを特徴とする［１］乃至［３］のいずれか１つに記載の印刷システム。
【００１７】
上記発明および下記［１０］、［１６］に記載の発明では、該当の印刷ジョブが実行される可能性に基づいて各印刷装置を順位付けし、その順位を基準に中位装置、上位装置を選択する。たとえば、順位が第１基準以上のものを中位装置とし、その中で順位が第１基準よりさらに高い第２基準以上のものを上位装置とする。
【００１８】
［５］前記サーバは、各印刷装置で前記印刷ジョブが実行される確率を求め、
前記第１基準および前記第２基準は前記確率に係る閾値を含む
ことを特徴とする［１］乃至［４］のいずれか１つに記載の印刷システム。
【００１９】
上記発明および下記［１１］、［１７］に記載の発明では、各印刷装置について、該当の印刷ジョブが実行される確率を求め、その確率を基準に中位装置、上位装置を選択する。たとえば、確率が第１基準以上のものを中位装置とし、その中で確率がさらに高い第２基準以上のものを上位装置とする。なお、確率と順位を併用して中位装置、上位装置を選択してもよい。
【００２０】
［６］ＰＤＬで記述された印刷ジョブを前記ユーザ端末から受信する
ことを特徴とする［１］乃至［５］のいずれか１つに記載の印刷システム。
【００２１】
［７］サーバと、前記サーバにネットワークを通じて接続される複数の印刷装置とを備えた印刷システムで行われる印刷方法であって、
前記サーバは、宛先のユーザが設定されたプルプリントの印刷ジョブをユーザ端末から受信したとき、該印刷ジョブを保持すると共に、前記印刷ジョブが実行される可能性の高さに応じた第１基準で前記複数の印刷装置の中の一部を中位装置に選択し、該中位装置には、転送要求を受けなくても、前記印刷ジョブを配信すると共に、前記中位装置の中からさらに第２基準で絞り込んだ上位装置には、前記印刷ジョブがラスタライズ済みの状態で準備されるようにし、
前記中位装置は、前記サーバから配信された前記印刷ジョブを保持し、
前記複数の印刷装置のうち、前記宛先のユーザが認証されて前記印刷ジョブを印刷する印刷装置は、前記印刷ジョブが既に前記サーバから配信されて自装置に保持されている場合は該保持されているデータに基づいて前記印刷ジョブに係る印刷を実行し、保持されていない場合は前記サーバに前記印刷ジョブの転送要求を送信し、該転送要求に応じて前記サーバから送信されてきた印刷ジョブに係る印刷を実行し、
前記転送要求を受信した前記サーバは、前記印刷ジョブを前記転送要求の送信元の印刷装置に送信する
ことを特徴とする印刷方法。
【００２２】
［８］前記上位装置もしくはその中の一部のうち、前記宛先のユーザがその印刷装置に到着するまでの移動時間の予測値が所定の規定値より短い印刷装置については、前記サーバが前記印刷ジョブをラスタライズして配信することで前記準備が行われる
ことを特徴とする［７］に記載の印刷方法。
【００２３】
［９］前記上位装置のうち、前記宛先のユーザがその印刷装置に到着するまでの移動時間の予測値が所定の規定値より長い印刷装置については、前記サーバが前記印刷ジョブをラスタライズせずに配信し、これを受けた印刷装置が、前記印刷ジョブをラスタライズして保持することで前記準備が行われる
ことを特徴とする［７］または［８］に記載の印刷方法。
【００２４】
［１０］前記サーバは、前記印刷ジョブが実行される可能性の高さに応じて前記複数の印刷装置を順位付けし、
前記第１基準および前記第２基準は前記順位に係る閾値を含む
ことを特徴とする［７］乃至［９］のいずれか１つに記載の印刷方法。
【００２５】
［１１］前記サーバは、各印刷装置で前記印刷ジョブが実行される確率を求め、
前記第１基準および前記第２基準は前記確率に係る閾値を含む
ことを特徴とする［７］乃至［１０］のいずれか１つに記載の印刷方法。
【００２６】
［１２］ＰＤＬで記述された印刷ジョブを前記ユーザ端末から受信する
ことを特徴とする［７］乃至［１１］のいずれか１つに記載の印刷方法。
【００２７】
［１３］ネットワークを通じて複数の印刷装置が接続され、宛先のユーザが設定されたプルプリントの印刷ジョブをユーザ端末から受信したとき、該印刷ジョブを保持しておき、前記宛先のユーザが認証された前記印刷ジョブを印刷する印刷装置から前記印刷ジョブの転送要求を受けた場合に、保持している前記印刷ジョブを前記転送要求の送信元の印刷装置に転送する印刷サーバであって、
前記宛先のユーザを宛先とするプルプリントの印刷ジョブをユーザ端末から受信したとき、前記印刷ジョブが実行される可能性の高さに応じた第１基準で前記複数の印刷装置の中の一部を中位装置に選択し、該中位装置には、前記転送要求を受けなくても、前記印刷ジョブを配信すると共に、前記中位装置の中からさらに第２基準で絞り込んだ上位装置には、前記印刷ジョブがラスタライズ済みの状態で準備されるようにする、
ことを特徴とする印刷サーバ。
【００２８】
［１４］前記上位装置もしくはその中の一部のうち、前記宛先のユーザがその印刷装置に到着するまでの移動時間の予測値が所定の規定値より短い印刷装置については、前記印刷ジョブをラスタライズして配信することで前記準備を行う
ことを特徴とする［１３］に記載の印刷サーバ。
【００２９】
［１５］前記上位装置のうち、前記宛先のユーザがその印刷装置に到着するまでの移動時間の予測値が所定の規定値より長い印刷装置については、前記印刷ジョブをラスタライズせずに配信し、これを受けた印刷装置に前記印刷ジョブをラスタライズさせる
ことを特徴とする［１３］または［１４］に記載の印刷サーバ。
【００３０】
［１６］前記印刷ジョブが実行される可能性の高さに応じて前記複数の印刷装置を順位付けし、
前記第１基準および前記第２基準は前記順位に係る閾値を含む
ことを特徴とする［１３］乃至［１５］のいずれか１つに記載の印刷サーバ。
【００３１】
［１７］各印刷装置で前記印刷ジョブが実行される確率を求め、
前記第１基準および前記第２基準は前記確率に係る閾値を含む
ことを特徴とする［１３］乃至［１６］のいずれか１つに記載の印刷サーバ。
【００３２】
［１８］ＰＤＬで記述された印刷ジョブを前記ユーザ端末から受信する
ことを特徴とする［１３］乃至［１７］のいずれか１つに記載の印刷サーバ。
【発明の効果】
【００３３】
本発明に係る印刷システム、印刷方法、印刷サーバによれば、プルプリントにおいてユーザが印刷装置に向かって移動している時間をラスタライズ処理に有効利用することで、出力物を得るまでの待ちの時間を短縮することができる。
【図面の簡単な説明】
【００３４】
【図１】本発明の実施の形態に係る印刷システムの一例を示す図である。
【図２】印刷システムでプルプリントが行われる際の手順の概要を示すシーケンス図である。
【図３】印刷サーバの概略構成を示すブロック図である。
【図４】印刷装置の概略構成を示すブロック図である。
【図５】ユーザ端末の概略構成の一例を示すブロック図である。
【図６】印刷サーバが行う処理を示す流れ図である。
【図７】印刷装置が行う処理を示す流れ図である。
【図８】ユーザ端末のプリンタドライバが行う処理を示す流れ図である。
【発明を実施するための形態】
【００３５】
以下、図面に基づき本発明の実施の形態を説明する。
【００３６】
図１は、本発明の実施の形態に係る印刷システム５の一例を示している。印刷システム５は、ＬＡＮ（Local Area Network）などのネットワーク３に、印刷サーバ１０および複数台の印刷装置３０を接続して構成される。ネットワーク３には、印刷サーバ１０に印刷ジョブを送信する任意台数のユーザ端末６０が接続される。ユーザ端末６０は、スマートフォンやタブレットなどの携帯型の情報処理端末、あるいはＰＣ（パーソナルコンピュータ）等である。携帯型のユーザ端末６０は、無線通信によってネットワーク３に接続される。
【００３７】
印刷装置３０は、原稿を光学的に読み取ってその複製画像を記録紙に印刷するコピー機能、読み取った原稿の画像データをファイルにして保存したり外部端末へネットワーク３を通じて送信したりするスキャン機能、印刷サーバ１０からネットワーク３を通じて受信した印刷ジョブに基づいて記録紙上に文書や画像を印刷して出力する印刷機能などを備えた、所謂、複合機（ＭＦＰ）である。印刷装置３０を、以後、ＭＦＰとも記す。
【００３８】
印刷システム５では、印刷サーバ１０を経由したプルプリントが行われる。また、印刷システム５は、プルプリントの印刷ジョブの出力先として使用される可能性の高さに応じて絞り込んだ一部の印刷装置に印刷ジョブを事前に配信する機能を備えている。
【００３９】
図２は、印刷システム５でプルプリントが行われる際の手順の概要を示している。
【００４０】
ユーザ端末６０は、宛先のユーザが設定されたプルプリントの印刷ジョブ(以後、単に、印刷ジョブとする)を生成し、これを印刷サーバ１０に送信する（Ｐ１）。ここでは、ユーザ端末６０のユーザであるユーザＡが宛先に設定されているものとする。
【００４１】
印刷サーバ１０は受信した印刷ジョブを保持する（Ｐ２）と共に、該印刷ジョブが実行される可能性の高さに応じた第１基準に基づいて複数の印刷装置の中の一部を中位装置に選択し、さらに中位装置の中からさらに第２基準で絞り込んで上位装置を選択する。ここでは、ネットワーク３に接続されている複数の印刷装置３０を該印刷ジョブに係る印刷が実行される可能性の高さに応じて順位付けし（Ｐ３）、付与した順位が第１基準（第１閾値）以上の印刷装置３０を中位装置に、付与した順位が第１基準よりさらに高い第２基準値（第２閾値）以上の印刷装置を上位装置に選択する。なお、選択の基準（第１基準、第２基準）は、順位のほか、出力される確率等であってもよい。また、順位と確率の組み合わせでもよい。
【００４２】
各中位装置（上位装置を含む）には、転送要求を受けなくても、該印刷ジョブを配信（事前配信）する（Ｐ４）。上位装置には、ラスタライズ済みの印刷ジョブが事前に準備されるようにする。なお、ユーザ端末６０から受信される印刷ジョブを第１型式の印刷ジョブとする。第１型式の印刷ジョブは、ＰＤＬ（ページ記述言語）で記述された印刷ジョブである。
【００４３】
上記の事前配信には以下の３つの配信方式がある。
【００４４】
（１）ラスタライズ済み配信：第１型式の印刷ジョブを印刷サーバ１０でラスタライズして第２形式の印刷ジョブに変換し、該第２形式の印刷ジョブを送信する。  
（２）優先フラグ付き配信：第１型式の印刷ジョブに、印刷装置で事前にラスタライズ処理する指示を示す優先フラグを付加したものを送信する。  
（３）優先フラグなし配信：優先フラグを付加しない第１型式の印刷ジョブを送信する（ユーザ端末から受信した印刷ジョブをそのまま転送）。
【００４５】
印刷サーバ１０は、上位装置であって、ユーザ端末６０からその印刷装置までユーザが移動するのに要する時間（移動時間）の予測値が所定の規定値以下の印刷装置には、ラスタライズ済み配信を行う。また、上位装置であって、移動時間の予測値が所定の規定値より長い印刷装置には、優先フラグ付き配信を行う。上位装置以外の中位装置には、優先フラグなし配信を行う。
【００４６】
ラスタライズ済み配信は、上位装置であって移動時間の予測値が規定値以下のもすべてに対して行う必要はなく、上位装置のうちの一部の印刷装置３０に対してのみ行われてもよい。たとえば、上位装置のうち、順位が１位の印刷装置３０であって移動時間の予測値が規定値以下のものにだけラスタライズ済み配信を行うようにしてもよい。
【００４７】
印刷サーバ１０は、印刷装置３０に比べて、ＣＰＵの処理能力が高いので、ラスタライズに要する時間も印刷装置３０より短い。そこで、ユーザの移動時間の予測値が規定値以下の場合は、印刷サーバ１０でラスタライズを行い、移動時間の予測値が規定値を超える場合は、印刷サーバ１０への負荷の集中や通信データ量の増大を抑制するために、印刷装置３０でラスタライズを行わせる。
【００４８】
なお、移動時間の予測値と比較する規定値は、予め定めた固定値とするほか、たとえば、該当の印刷ジョブを印刷装置３０に送信しその印刷装置でラスタライズするための所要時間としてもよい。この所要時間におけるラスタライズは、印刷ジョブ全体でなくてもよく、たとえば、先頭の１ページまたは数ページのみとしてもよい。すなわち、印刷装置３０でラスタライズして印刷する場合にその印刷を開始するまでに要する時間を規定値とする等でもよい。
【００４９】
事前配信を受けていない印刷装置（図中のＭＦＰ４）は、宛先のユーザＡが認証（ログイン）して印刷ジョブの出力要求を受けたとき（Ｐ５）、該印刷ジョブの転送要求を印刷サーバ１０に送信する（Ｐ６）。その後、印刷ジョブを印刷サーバ１０から受信する（Ｐ７）。この印刷ジョブはラスタライズされていない第１型式の印刷ジョブなので、自装置でラスタライズした後（Ｐ８）、印刷を行う（Ｐ９）。
【００５０】
「優先フラグなし配信」により印刷ジョブの事前配信を受けた印刷装置３０（図２のＭＦＰ３）は、該印刷ジョブをそのまま一時保存する（Ｐ１１）。そして、宛先のユーザＡが認証（ログイン）して印刷ジョブの出力要求を受けたとき（Ｐ１２）、保持している印刷ジョブをラスタライズした後（Ｐ１３）、印刷を行う（Ｐ１４）。
【００５１】
「優先フラグ付き配信」により印刷ジョブの事前配信を受けた印刷装置３０（図２のＭＦＰ２）は、該印刷ジョブを受信したら、直ちに、ラスタライズを行い、そのラスタライズ済みの印刷ジョブ（第２形式に変換した印刷ジョブ）を保持する（Ｐ２１）。ラスタライズは、他の処理の実行を優先し、バックグラウンドで行われる。その後、ユーザＡが認証（ログイン）して印刷ジョブの出力要求を受けたとき（Ｐ２２）、保持している第２形式の印刷ジョブの印刷を行う（Ｐ２３）。この印刷ジョブは受信時にラスタライズ済みなので、印刷時に改めてラスタライズする必要はない。
【００５２】
「ラスタライズ済み配信」により印刷ジョブの事前配信を受けた印刷装置３０（図２のＭＦＰ１）は、受信したラスタライズ済みの印刷ジョブをそのまま一時保存する（Ｐ３１）。そして、宛先のユーザＡが認証（ログイン）して印刷ジョブの出力要求を受けたとき（Ｐ３２）、保持している第２形式の印刷ジョブの印刷を行う（Ｐ３３）。この印刷ジョブはラスタライズ済みなので、改めてラスタライズする必要はない。
【００５３】
図２の例では、出力要求を行ってから出力完了までの待ち時間は、事前にラスタライズ済みの印刷ジョブが準備されるＭＦＰ１とＭＦＰ２がもっとも短い。ＭＦＰ３は、ラスタライズ済みではないが、印刷ジョブが事前配信されるので、出力要求を受けてから印刷ジョブが転送されるＭＦＰ４に比べて待ち時間が短縮される。
【００５４】
このように、印刷システム５では、印刷サーバ１０に接続された複数の印刷装置３０のうち、出力される可能性の高さに応じた第１基準で選択した中位装置（順位が第１基準値以上の印刷装置）には、ユーザから出力要求を受ける前に、印刷ジョブを事前配信し、その中でも出力される可能性が特に高い第２基準を満たす上位装置（順位が第１基準値よりさらに高い第２基準値以上の印刷装置）には、ユーザから出力要求を受ける前に該印刷ジョブをラスタライズ済みの状態で準備する。
【００５５】
これにより、出力される可能性の高い印刷装置３０をユーザが出力先に選択したときは、出力までの待ち時間を短縮することができる。また、出力される可能性が特に高い上位装置についてのみ、印刷ジョブをラスタライズ済みの状態で事前準備するので、事前のラスタライズが無駄になる可能性を少なく抑えて、システムの処理負担を軽減し、出力までの待ち時間を効率良く低減することができる。
【００５６】
図３は、印刷サーバ１０の概略構成を示すブロック図である。印刷サーバ１０は、サーバ機能を果たすコンピュータ装置である。印刷サーバ１０は、ＣＰＵ（Central Processing Unit）を主要部とする制御部１１、ＲＡＭ（Random Access Memory）、ＲＯＭ（Read Only Memory）、不揮発メモリ、ハードディスク装置などで構成される記憶部１２、ネットワークを通じて印刷装置３０やユーザ端末６０などの外部装置と通信するネットワーク通信部１３、キーボード、マウス、タッチパネル等の入力装置１４、液晶ディスプレイ等の表示装置１５などを備えている。
【００５７】
制御部１１は、記憶部１２に格納されているプログラムに従って各種の処理を実行する。制御部１１は、記憶部１２に記憶されているプログラムを実行することで、受信制御部２１、保持制御部２２、選択部２３、ラスタライズ処理部２４、事前配信部２５、転送部２６などの機能を果たす。
【００５８】
受信制御部２１は、ユーザ端末６０から送信されて来る印刷ジョブの受信に係る制御を行う。保持制御部２２は、ユーザ端末６０から受信した印刷ジョブを記憶部１２に格納して保持させる制御を行う。記憶部１２の処理領域はユーザ端末６０から受信した印刷ジョブを保持する保持部２８となる。
【００５９】
選択部２３は、ユーザ端末６０から受信した印刷ジョブが出力される可能性の高さに基づいて中位装置、上位装置を選択する。ここでは、受信した印刷ジョブが出力される可能性の高さに基づいて各印刷装置３０を順位付けし、付与した順位が第１基準以上の印刷装置３０を中位装置に選択し、これらの中位装置のうち、付与した順位が第１基準よりさらに高い第２基準以上のものを上位装置に選択する。
【００６０】
ラスタライズ処理部２４は、印刷ジョブをラスタライズして第２形式の印刷ジョブに変換する。事前配信部２５は、優先フラグの付与や事前配信に係る送信を制御する。転送部２６は、転送要求に応じて印刷ジョブを転送する処理に係る制御を行う。このほか制御部１１は、転送要求の受信などの処理を行う。
【００６１】
図４は、印刷装置３０の概略構成を示すブロック図である。印刷装置３０は、当該印刷装置３０の動作を統括的に制御する制御部３１を有している。制御部３１は、ＣＰＵなどを主要部品として構成される。制御部３１には、記憶部３２、画像処理部３３、画像読取部３４、操作パネル３５、印刷部３６、ネットワーク通信部３７、認証部３８等が接続されている。
【００６２】
制御部３１のＣＰＵは、ＯＳ（Operating System）プログラムをベースとし、その上で、ミドルウェアやアプリケーションプログラムなどのプログラムを実行する。
【００６３】
記憶部３２は、ＲＯＭ、ＲＡＭ、ハードディスク装置、不揮発メモリなどで構成され、各種のプログラムやデータが記憶される。制御部３１のＣＰＵがこれらのプログラムに従って各種の処理を実行することで印刷装置３０としての機能が実現される。記憶部３２の所定領域は、事前配信された印刷ジョブを一時的に保存する一時保存部３２ａとして使用される。
【００６４】
画像処理部３３は、画像の拡大縮小、回転などの処理、画像データの圧縮、伸張処理などを行う。
【００６５】
画像読取部（読み取り装置）３４は、原稿を光学的に読み取って画像データを取得する機能を果たす。
【００６６】
操作パネル３５は、表示部３５ａ、操作部３５ｂを備えている。表示部３５ａは、液晶ディスプレイなどで構成され、各種の操作画面、設定画面などを表示する機能を果たす。操作部３５ｂは、スタートボタンなどの各種操作スイッチ、表示部３５ａの表示面上に設けられたタッチパネル等で構成される。タッチパネルは、タッチペンや指などで押下された座標位置を検出する。
【００６７】
印刷部３６は、印刷データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。印刷部３６は他の方式でもかまわない。
【００６８】
ネットワーク通信部３７は、ネットワーク３を通じて印刷サーバ１０やユーザ端末６０、その他の外部装置などとの間で通信する機能を果たす。
【００６９】
認証部３８は、ユーザの認証を行う。認証部３８は、たとえば、ユーザ認証情報が登録されたＩＣカードを読み取るＩＣカードリーダなどである。静脈認証によりユーザ認証を行うための静脈読み取り機などでもよい。操作パネル３５からユーザＩＤとパスワードを入力することでユーザ認証を行ってログインする構成でもよい。また、ユーザが所持するＲＦＩＤカード等と通信してユーザが印刷装置３０に到着する前にユーザの接近を検知してそのユーザの認証を行うようにしてもよい。
【００７０】
なお、印刷ジョブの転送要求は、たとえば、宛先のユーザが認証された段階で印刷サーバ１０へ送信するほか、認証後さらに出力要求の操作をユーザから受けた時点で印刷サーバ１０へ送信するようにしてもよい。
【００７１】
図５は、ユーザ端末６０の概略構成の一例を示すブロック図である。ユーザ端末６０は、該ユーザ端末６０の動作を統括的に制御するＣＰＵ６１を有している。ＣＰＵ６１にはバスを通じてＲＯＭ６２、ＲＡＭ６３、不揮発メモリ６４、操作部６５、表示部６６、ネットワーク通信部６７などが接続されている。
【００７２】
ＣＰＵ６１は、ＯＳプログラムをベースとし、その上で、ミドルウェアやアプリケーションプログラムなどを実行する。また、ＲＯＭ６２には、プリンタドライバや各種のプログラムが格納されており、これらのプログラムに従ってＣＰＵ６１が各種処理を実行することでユーザ端末６０の各機能が実現される。プリンタドライバは、アプリケーションが作成した文書のデータから、印刷装置３０に送信する第１型式の印刷ジョブを作成する機能等を果たす。
【００７３】
ＲＡＭ６３は、ＣＰＵ６１がプログラムに基づいて処理を実行する際に各種のデータを一時的に格納するワークメモリとして使用される。
【００７４】
不揮発メモリ６４は、電源をオフにしても記憶内容が破壊されないメモリ（フラッシュメモリ）であり、アプリケーションプログラムや各種の固定データ、設定情報などが保存される。不揮発メモリ６４は、ユーザが作成した各種のファイル（文書）が記憶される。
【００７５】
表示部６６は、液晶ディスプレイなどで構成され、各種の操作画面、設定画面などを表示する機能を果たす。操作部６５は、少数のハードキーと、表示部６６の物理的画面上に設けられたタッチパネルなどで構成される。
【００７６】
ネットワーク通信部６７は、ネットワーク３を通じて印刷装置１０やその他の外部装置との間で通信する機能を果たす。
【００７７】
図６は、印刷サーバ１０が行う処理の流れを示している。印刷サーバ１０は、ユーザ端末６０からの印刷ジョブの受信および印刷装置３０からの転送要求の受信の監視を行っている（ステップＳ１０１；Ｎｏ、ステップ１１１；Ｎｏ）。
【００７８】
ユーザ端末６０から印刷ジョブを受信すると（ステップＳ１０１；Ｙｅｓ）、印刷ジョブ（第１型式の印刷ジョブ）を記憶部１２の保持部２８に格納して保持する（ステップＳ１０２）。
【００７９】
次に、この印刷ジョブが出力される可能性の高さに応じて中位装置及び上位装置の選択を行う。具体的には、各印刷装置３０を順位付けし、付与した順位が第１基準の閾値以上の印刷装置３０を中位装置に、順位が第１基準の閾値よりさらに高い第２基準の閾値以上の印刷装置３０を上位装置に選択するものとする。この例では、中位装置のうち順位が１位のものを上位装置とする。
【００８０】
順位付けは、ユーザの利用履歴（どのユーザ端末６０から送信された印刷ジョブがどの印刷装置３０で印刷されたかの履歴）に基づいて行う。すなわち、今回受信した印刷ジョブの送信元のユーザ端末６０から送信された印刷ジョブがどの印刷装置３０で印刷されたかの履歴を参照し、過去所定期間に印刷された回数が多い印刷装置３０ほど順位が高くなるようにして印刷装置３０を順位付ける。なお、ユーザによって明示的に中位装置、上位装置（この例では順位）が指定されてもよい。携帯型のユーザ端末６０の場合、印刷サーバ１０が印刷ジョブを受信した時点でのユーザ端末６０の位置を考慮して、中位装置、上位装置の選択を行ってもよい。
【００８１】
この時点で、中位装置に関して、他のユーザが使用中であるとか、用紙切れやトナー切れなどのために印刷できない、あるいは印刷が困難な状況であることが判明した場合は、その印刷装置を除外して、再度の中位装置の選択が実施される。
【００８２】
次に、上位装置（この例では順位が１位の印刷装置）について、ユーザがその印刷装置３０に到着するまでに要する移動時間の予測値を求める（ステップＳ１０４）。たとえば、移動時間の予測値は、過去の利用履歴における移動時間（印刷ジョブを受信してから出力要求を受けるまでの時間）の平均値等として求める。また、携帯型のユーザ端末６０の場合、印刷サーバ１０が印刷ジョブを受信した時点でのユーザ端末６０の位置を考慮して移動時間を求めてもよい。
【００８３】
移動時間の予測値が予め定めた規定値を超える場合は（ステップＳ１０５；Ｙｅｓ）、優先フラグを付した第１型式の印刷ジョブを作成し（ステップＳ１０６）、該優先フラグを付した第１型式の印刷ジョブを順位が１位の印刷装置３０（上位装置）に対して送信する（ステップＳ１０７）。その後、順位が、１位以外の中位装置に、優先フラグなしの第１型式の印刷ジョブを送信し（ステップＳ１１０）、ステップＳ１０１に戻って処理を継続する。
【００８４】
移動時間の予測値が規定値以下の場合は（ステップＳ１０５；Ｎｏ）、印刷サーバ１０にて該印刷ジョブのラスタライズ処理を行って第２形式の印刷ジョブを作成し（ステップＳ１０８）、該第２形式の印刷ジョブを順位が１位の印刷装置３０（上位装置）に送信する（ステップＳ１０）。さらに順位が１位以外の中位装置に、優先フラグなしの第１型式の印刷ジョブを送信し（ステップＳ１１０）、ステップＳ１０１に戻って処理を継続する。
【００８５】
中位装置（上位装置を含む）に選択されていない印刷装置には事前配信しない。
【００８６】
印刷サーバ１０は、印刷装置３０から転送要求を受信した場合は（ステップＳ１０１；Ｎｏ、ステップ１１１；Ｙｅｓ）、該転送要求で要求されている印刷ジョブ（第１型式の印刷ジョブ）を転送要求の送信元の印刷装置３０に送信し（ステップＳ１１２）、その後、ステップ１０１に戻って処理を継続する。
【００８７】
なお、事前配信が完了した後に、中位装置（上位装置を含む）に関して、他のユーザが使用中であるとか、用紙切れやトナー切れなどの印刷が困難な状態であることが判明した場合は、再度、中位装置の選択が行われると共に、新たに中位装置に選択された印刷装置３０に対して、条件に応じた印刷ジョブの事前配信が改めて実行される。たとえば、順位に基づいて中位装置を選択する場合には、改めて順位付けを行い、新たに第１基準以上にランクインした印刷装置に対して事前配信を行う。
【００８８】
その際、印刷サーバ１０側に事前配信した所定形式の印刷ジョブが残っている場合は、印刷サーバ１０から再配信しても良い。また、既に所定形式の印刷ジョブが配信済みの印刷装置３０に対して、その印刷装置から新たに中位装置に選択された印刷装置３０に対して該所定形式の印刷ジョブを転送する旨の命令を、印刷サーバ１０から発行してその転送を行わせるようにしても良い。
【００８９】
図７は、印刷装置３０が行う処理を示す流れ図である。印刷装置３０は、認証されたユーザから印刷ジョブの出力要求を受けるか否か、事前配信による印刷ジョブが受信されるか否かを監視している（ステップＳ２０１；Ｎｏ、ステップ２０２；Ｎｏ）。
【００９０】
事前配信による印刷ジョブを受信した場合は（ステップＳ２０１；Ｎｏ、ステップ２０２；Ｙｅｓ）、その受信した印刷ジョブが優先フラグ付きの第１型式の印刷ジョブか否かを判断する（ステップＳ２０３）。受信した印刷ジョブが優先フラグ付きの第１型式の印刷ジョブであった場合は（ステップＳ２０３；Ｙｅｓ）、その印刷ジョブをラスタライズする処理を直ちにバックグラウンドで開始して、第２形式の印刷ジョブに変換する（ステップＳ２０４）。そして、この第２形式の印刷ジョブを記憶部３２の一時保存部３２ａに格納して一時保存し（ステップＳ２０５）ステップ２０１に戻る。
【００９１】
受信した印刷ジョブが優先フラグ付きの第１型式の印刷ジョブでない場合は（ステップＳ２０３；Ｎｏ）、受信した印刷ジョブをそのまま一時保存部３２ａに格納して一時保存し（ステップＳ２０６）、ステップ２０１に戻る。すなわち、優先フラグなしの第１型式の印刷ジョブ、もしくは、ラスタライズ済みの第２形式の印刷ジョブの場合は、そのまま一時保存部３２ａに一時保存する。
【００９２】
認証されたユーザから出力要求を受けた場合は（ステップＳ２０１；Ｙｅｓ）、出力要求された印刷ジョブが自装置の一時保存部３２ａに保存されているか否かを判断する（ステップＳ２０７）。出力要求された印刷ジョブが自装置の一時保存部３２ａに保存されていない場合は（ステップＳ２０７；Ｎｏ）、該印刷ジョブの転送要求を印刷サーバ１０に送信し、該印刷ジョブを印刷サーバ１０から取得する（ステップＳ２０８）。転送要求に応じて送られて来る印刷ジョブはラスタライズされていない第１型式の印刷ジョブなので、該印刷ジョブのラスタライズ処理を行う（ステップＳ２１０）。そして、該ラスタライズ処理で得たイメージデータを用いて印刷を実行して（ステップＳ２１１）、ステップ２０１に戻る。
【００９３】
出力要求された印刷ジョブが自装置の一時保存部３２ａに保存されている場合は（ステップＳ２０７；Ｙｅｓ）、その保存されている印刷ジョブが第２形式か否かを判断する（ステップＳ２０９）。第２形式ならば（ステップＳ２０９；Ｙｅｓ）、その第２形式の印刷ジョブに含まれるラスタライズ済みのイメージデータを用いて印刷を実行して（ステップＳ２１１）、ステップ２０１に戻る。
【００９４】
第２形式でなければ（ステップＳ２０９；Ｎｏ）、該印刷ジョブのラスタライズ処理を行い（ステップＳ２１０）、該ラスタライズ処理で得たイメージデータを用いて印刷を実行して（ステップＳ２１１）、ステップ２０１に戻る。
【００９５】
なお、ユーザ認証された段階で（出力要求の操作を受ける前に）、該当の印刷ジョブが自装置の一時保存部３２ａに保存されているか否かを確認し、保存されていなければ印刷サーバ１０に対して転送要求を送信するようにしてもよい。
【００９６】
図８は、ユーザ端末６０のプリンタドライバが行う処理を示す流れ図である。印刷機能設定処理にてユーザから所望の印刷設定を受ける（ステップＳ３０１）。アプリケーションプログラムから印刷要求を受けると（ステップＳ３０２；Ｙｅｓ）、該アプリケーションプログラムで開いている印刷対象データに対応する第１型式の印刷ジョブを生成する（ステップＳ３０３）。その生成した第１型式の印刷ジョブを印刷サーバ１０に送信して（ステップＳ３０４）、ステップ３０１に戻る。
【００９７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９８】
実施の形態では、順位を基準に中位装置、上位装置を選択したが、出力先にされる確率に基づいて中位装置、上位装置を選択してもよい。すなわち、受信した印刷ジョブが印刷される確率を各印刷装置３０について求め、その確率が第１基準の閾値以上の印刷装置３０を中位装置に選択し、そのうち、確率が第１基準よりさらに高い第２基準の閾値以上の印刷装置３０を上位装置に選択するようにしてもよい。また、確率と順位を併用して中位装置、上位装置を選択してもよい。たとえば、確率が第１基準以上の印刷装置が上限台数を超える場合には、確率が第１基準以上であってその順位が所定の閾値（この例では上限台数の値）までの印刷装置３０を中位装置に選択する。
【００９９】
順位や確率を決定する方法や移動時間の予測値を求める方法は実施の形態で例示したものに限定されず、任意でよい。たとえば、印刷ジョブの内容（カラー／モノクロ、印刷枚数の大小等）を考慮して順位や確率を決定してもよい。
【符号の説明】
【０１００】
３…ネットワーク
５…印刷システム
１０…印刷サーバ
１１…制御部
１２…記憶部
１３…ネットワーク通信部
１４…入力装置
１５…表示装置
２１…受信制御部
２２…保持制御部
２３…選択部
２４…ラスタライズ処理部
２５…事前配信部
２６…転送部
２８…保持部
３０…印刷装置
３１…制御部
３２…記憶部
３２ａ…一時保存部
３３…画像処理部
３４…画像読取部
３５…操作パネル
３５ａ…表示部
３５ｂ…操作部
３６…印刷部
３７…ネットワーク通信部
３８…認証部
６０…ユーザ端末
６１…ＣＰＵ
６２…ＲＯＭ
６３…ＲＡＭ
６４…不揮発メモリ
６５…操作部
６６…表示部
【図１】
2017146738.tif 000003
【図２】
2017146738.tif 000004
【図３】
2017146738.tif 000005
【図４】
2017146738.tif 000006
【図５】
2017146738.tif 000007
【図６】
2017146738.tif 000008
【図７】
2017146738.tif 000009
【図８】
2017146738.tif 000010